(57)【特許請求の範囲】
【請求項１】
光を出射して映像を投射するディスプレイ装置において、
スイッチを用いた２段階以上のスイッチ制御によって前記ディスプレイ装置の光源の点灯を制御して、映像の投射前に、投射領域への人の侵入を防止する防止手段を備え、
前記防止手段は、２段階のスイッチ制御によって、映像の投射前に投射領域への人の侵入を防止するものであり、第１のスイッチ制御によって、映像を投射するスクリーンに、投射領域を示す表示と、周囲の状況の確認を促す警告表示とを含む案内を表示し、前記案内の表示が終了してから一定時間経過した後、第２のスイッチ制御によって前記ディスプレイ装置の光源を点灯させる、
ことを特徴とするディスプレイ装置。
【請求項２】
請求項１に記載のディスプレイ装置において、
複数のセルを有し、前記光源からの光を前記複数のセルにより変調する２次元空間変調素子を備え、
前記投射領域を示す表示が、前記２次元空間変調素子の最外周付近のセルを用いて行われる、
ことを特徴とするディスプレイ装置。
【請求項３】
請求項１に記載のディスプレイ装置において、
前記投射領域を示す表示によって示される領域が、前記第２のスイッチ制御の実行後に投射される映像の投射領域よりも大きい、
ことを特徴とするディスプレイ装置。
【請求項４】
請求項１に記載のディスプレイ装置において、
前記投射領域を示す表示と前記警告表示とを含む案内を、緑色光を用いて表示する、
ことを特徴とするディスプレイ装置。
【請求項５】
請求項４に記載のディスプレイ装置において、
前記緑色光の緑色の範囲が、ＣＩＥのｘｙ色度図上で、Ｘ＜０．３、Ｙ≧０．６である、
ことを特徴とするディスプレイ装置。
【請求項６】
請求項４に記載のディスプレイ装置において、
前記緑色光は、コヒーレント光であり、その出力は、国際電気標準会議で定められたレーザー安全基準のクラス２以下である、
ことを特徴とするディスプレイ装置。
【請求項７】
光を出射して映像を投射するディスプレイ装置において、
スイッチを用いた２段階以上のスイッチ制御によって前記ディスプレイ装置の光源の点灯を制御して、映像の投射前に、投射領域への人の侵入を防止する防止手段を備え、
前記防止手段は、２段階のスイッチ制御によって、映像の投射前に投射領域への人の侵入を防止するものであり、第１のスイッチ制御によって、映像の投射に注意する旨の案内を音声で示し、前記音声による案内が終了してから一定時間経過した後、第２のスイッチ制御によって、前記ディスプレイ装置の光源を点灯させる、
ことを特徴とするディスプレイ装置。
【請求項８】
光を出射して映像を投射するディスプレイ装置において、
スイッチを用いた２段階以上のスイッチ制御によって前記ディスプレイ装置の光源の点灯を制御して、映像の投射前に、投射領域への人の侵入を防止する防止手段を備え、
前記防止手段は、２段階のスイッチ制御によって、映像の投射前に投射領域への人の侵入を防止するものであり、
前記防止手段の第１のスイッチ制御によって、投射レンズ付近にフードを設置し、前記フードが所定位置に設置されたことを確認した後、前記防止手段の第２のスイッチ制御によって、前記ディスプレイ装置の光源を点灯させる、
ことを特徴とするディスプレイ装置。
【請求項９】
請求項８に記載のディスプレイ装置において、
前記フードの投射方向への長さが、前記筐体表面から、前記投射レンズから出射された光の光束密度が最大となる位置までの距離より長い、
ことを特徴とするディスプレイ装置。
【発明の詳細な説明】
【技術分野】
【０００１】
本発明は、光を出射して映像を投射するディスプレイ装置に関するものである。
【背景技術】
【０００２】
従来、持ち運び可能なディスプレイ装置、いわゆる液晶プロジェクターが幅広く用いられている（例えば、特許文献１）。このディスプレイ装置は、光源からの光をスクリーン上に投射し、観察者はスクリーンに映し出された映像を鑑賞する。図８は、従来のディスプレイ装置の一構成例を示す図である。図８において、ディスプレイ装置の光源部５０は、ランプ５１と、光学フィルター５４ａ〜５４ｇと、液晶パネル５５と、プリズム５６と、レンズ５７とを備える。ランプ５１から出力された白色光は、光学フィルター５４ａ〜５４ｇによって赤色、緑色、青色の光に分岐され、液晶パネル５５を透過した後、プリズム５６で合波され、レンズ５７を透過しスクリーン５８へ投影され、映像として映し出される。
【０００３】
図９は、この従来のディスプレイ装置に接続可能な機器を示すものである。図９において、ディスプレイ装置はＲＧＢ端子により映像信号を入力するものとしており、ノートＰＣ等のパーソナルコンピュータ２０１、ビデオゲーム機２０２、各種ＤＶＤ等の光ディスクプレーヤ２０３、ＶＴＲとの一体型を含む光ディスクレコーダ２０４、カメラ一体型ＶＴＲ２０５、据え置き型ＶＴＲ２０６、ＢＳ／ＣＳチューナー２０７、ＴＶ２０８、各種光ディスクドライブとの一体型を含むハードディスクレコーダ２０９、インターネット放送用ＳＴＢ（Ｓｅｔ  Ｔｏｐ  Ｂｏｘ）２１０、ＣＡＴＶ用ＳＴＢ２１１、地上波デジタル放送用ＳＴＢ２１２、ＢＳ  ＨＤＴＶ放送用ＳＴＢ２１３等、ＲＧＢ信号の出力端子を有するものであれば、接続が可能である。
【０００４】
また、ディスプレイ装置と接続する機器が出力する信号のフォーマットに合わせて、Ｄ４入力端子、ＤＶＩ−Ｄ入力端子、ＩＥＥＥ１３９４端子、コンポーネント端子、Ｓ端子、ビデオ端子等を設けることでも良い。
【０００５】
また、従来、上述のランプの替わりに、光源としてコヒーレント光、例えばレーザーを用いたディスプレイ装置も提案されている（例えば、特許文献２）。光源をランプからレーザーに替えることで消費電力の低減、光源の長寿命化、色再現性の向上、光学系の小型化、電池起動などが実現される。
【特許文献１】特開２００３−２１５５６２号公報（図１）
【特許文献２】特開平６−２０８０８９号公報
【発明の開示】
【発明が解決しようとする課題】
【０００６】
従来、映像の投射領域への人の侵入を検知して、光源出力の制御を行う機能を有するディスプレイ装置は提案されていたが、投射領域への人の侵入を映像投射前に防止する機能を有するディスプレイ装置は提案されていなかった。
【０００７】
このため、従来のディスプレイ装置では、映像の投射領域内に人が侵入する可能性があり、侵入者は、光源であるランプやレーザーから出射された光を直接見ることになるため非常に眩しく不快な思いをするという問題が生じていた。
【０００８】
また、従来、持ち運び可能なディスプレイ装置が提案されていたが、移動中に、ディスプレイ装置の不用意な起動を防止する機能を有するものは提案されていなかった。
【０００９】
このため、移動中や、カバンなどから取り出すときに、装置の起動スイッチが不用意に押されて、誤って人に投射光を照射してしまい、それによって、投射光を照射された人は非常に眩しく不快な思いをするという問題が生じた。さらに、ディプスレイ装置がバッテリーで駆動する場合は、起動スイッチが不用意に押されて、バッテリーが不要に消費されるという問題があった。
【００１０】
よって、本発明では、投射領域への人の侵入を映像投射前に防止し、かつ、不用意な起動を制御する機能を有するディスプレイ装置を提供することを目的とする。さらに、人が投射領域に侵入した場合でも、侵入者が極度に不快な思いをすることを防ぐディスプレイ装置を提供することを目的とする。
【課題を解決するための手段】
【００１１】
上記の課題を解決するため、本発明のディスプレイ装置は、光を出射して映像を投射するディスプレイ装置において、スイッチを用いた２段階以上のスイッチ制御によって前記ディスプレイ装置の光源の点灯を制御して、映像の投射前に、投射領域への人の侵入を防止する防止手段を備えることを特徴とする。
【００１２】
また、本発明のディスプレイ装置は、投射領域への入の侵入を検知する検知手段と、前記検知手段が前記投射領域への入の侵入を検知したとき、投射光の出力を制御する手段とを備えることを特徴とする。
【００１３】
また、本発明のディスプレイ装置は、筐体上面に凹部を有し、前記スイッチが前記凹部に設けられることを特徴とする。
【００１４】
また、本発明のディスプレイ装置は、前記スイッチを覆うシャッターを有することを特徴とする。
【００１５】
また、本発明のディスプレイ装置は、前記防止手段が前記スイッチを複数有することを特徴とする。
【００１６】
また、本発明のディスプレイ装置は、前記防止手段が、第１のスイッチと第２のスイッチとを有し、前記第１のスイッチが押されてから一定時間経過した後、第２のスイッチが押されると、前記光源を点灯させることを特徴とする。
【００１７】
また、本発明のディスプレイ装置は、前記防止手段が前記スイッチを１つ有し、前記スイッチが１回押されてから、一定時間経過した後、前記スイッチが再度押されると、前記光源を点灯させることを特徴とする。
【００１８】
また、本発明のディスプレイ装置は、前記防止手段が、２段階のスイッチ制御によって、映像の投射前に投射領域への人の侵入を防止するものであり、第１のスイッチ制御によって、映像を投射するスクリーンに、投射領域を示す表示と、周囲の状況の確認を促す警告表示とを含む案内を表示し、前記案内の表示が終了してから一定時間経過した後、第２のスイッチ制御によって前記ディスプレイ装置の光源を点灯させることを特徴とする。
【００１９】
また、本発明のディスプレイ装置は、複数のセルを有し、前記光源からの光を前記複数のセルにより変調する２次元空間変調素子を備え、前記投射領域を示す表示が、前記２次元空間変調素子の最外周付近のセルを用いて行われることを特徴とする。
【００２０】
また、本発明のディスプレイ装置は、前記投射領域を示す表示によって示される領域が、前記第２のスイッチ制御の実行後に投射される映像の投射領域よりも大きいことを特徴とする。
【００２１】
また、本発明のディスプレイ装置は、前記投射領域を示す表示と前記警告表示とを含む案内を、緑色光を用いて表示することを特徴とする。
【００２２】
また、本発明のディスプレイ装置は、前記緑色光の緑色の範囲が、ＣＩＥのｘｙ色度図上で、Ｘ＜０．３、Ｙ≧０．６であることを特徴とする。
【００２３】
また、本発明のディスプレイ装置は、前記緑色光が、コヒーレント光であり、その出力は、国際電気標準会議で定められたレーザー安全基準のクラス２以下であることを特徴とする。
【００２４】
また、本発明のディスプレイ装置は、前記防止手段が、２段階のスイッチ制御によって、映像の投射前に投射領域への人の侵入を防止するものであり、前記第１のスイッチ制御によって、映像の投射に注意する旨の案内を音声で示し、前記音声による案内が終了してから一定時間経過した後、第２のスイッチ制御によって、前記ディスプレイ装置の光源を点灯させることを特徴とする。
【００２５】
また、本発明のディスプレイ装置は、前記防止手段が、２段階のスイッチ制御によって、映像の投射前に投射領域への人の侵入を防止するものであり、前記防止手段の前記第１のスイッチ制御によって、投射レンズ付近の筐体表面にフードを設置し、前記フードが所定位置に設置されたことを確認した後、前記防止手段の第２のスイッチ制御によって、前記ディスプレイ装置の光源を点灯させることを特徴とする。
【００２６】
また、本発明のディスプレイ装置は、筐体表面の投射レンズ付近にフードを着脱自在に装着するフード装着部を有し、前記フード装着部に前記フードが装着されたことを確認した後、前記防止手段のスイッチ制御によって、前記ディスプレイ装置の光源を点灯させることを特徴とする。
【００２７】
また、本発明のディスプレイ装置は、前記フードの投射方向への長さが、前記筐体表面から、前記投射レンズから出射された光の光束密度が最大となる位置までの距離より長いことを特徴とする。
【発明の効果】
【００２８】
本発明のディスプレイ装置は、スイッチを用いた２段階以上のスイッチ制御によって前記ディスプレイ装置の光源の点灯を制御して、映像の投射前に、投射領域への人の侵入を防止する防止手段を備えることから、投射光によって、人が不快な思いをするのを防ぐことができる。
【００２９】
また、本発明のディスプレイ装置は、筐体上面に凹部を有し、前記スイッチを凹部に設け、さらに、前記スイッチを覆うシャッターを設けることから、前記スイッチが不用意に押されることで起こる、人への投射光の誤射を防ぐことができる。さらに、ディスプレイ装置がバッテリー駆動する場合は、スイッチが不用意に押されることで起こる不要なバッテリーの消費を防ぐことができる。
【００３０】
また、本発明のディスプレイ装置によれば、投射レンズ付近の筐体表面にフードを備え、前記フードの投射方向への長さは、前記筐体表面から、前記投射レンズから出射した光の光束密度が最大となる位置までの距離より長いことから、投射領域へ人が侵入しても、侵入者に不快感を与えることを事前に防止できる。
【発明を実施するための最良の形態】
【００３１】
以下、本発明の実施の形態について、図を用いて説明する。
（実施の形態１）
図１は、本発明の実施の形態１によるディスプレイ装置の上面図である。
本実施の形態１によるディスプレイ装置１００は、その筐体上面に、第１のスイッチ３と、光源の点灯スイッチである第２のスイッチ４とを備え、装置内に、ディスプレイ装置全体を制御する制御回路１８と、光源１９とを備える。制御回路１８は、第１のスイッチ３が押されてから一定時間経過するまでは、第２のスイッチ４が押されても光源１９に電流が流れないようにし、第１のスイッチ３が押されてから、一定時間経過した後、第２のスイッチ４が押されると、光源１９に電流が流れるようにする。これにより、第１のスイッチ３が押されてから、一定時間経過した後、第２のスイッチ４が押されると、光源１９が点灯し、スクリーン２に投射レンズ５から映像が投射される。このように起動時のスイッチ制御を２段階にすることで第１のスイッチの起動から第２のスイッチの起動までの時間が発生するので、その間に使用者が周囲の状況を確認できる。
【００３２】
さらに、ディスプレイ装置１００は、投射領域への人の侵入を防ぐために、第１のスイッチ３が押されたときに、投射領域を示す表示と、周囲の状況の確認を促す警告表示とを含む案内をスクリーン２に表示する。図２は、ディスプレイ装置１００が示す案内の一例を示す図である。
【００３３】
ディスプレイ装置１００は、第１のスイッチ３が押されると、投射領域を示す光線枠７と、周囲の状況の確認を促す警告表示８（図２では、「周囲を確認してください」）とを含む案内をスクリーン２に表示する。光線枠７の領域は、映像の投射領域２０よりも大きく設定される。映像の表示に、複数のセルを有し、光源１９からの光を複数のセルで変調する２次元空間変調素子（例えば、液晶素子、ＤＭＤなど）を用いる場合、光線枠７は、前記複数のセルのうち、最外周付近のセルを用いて表示される。最外周付近のセルとは、映像出力に使用するセルの範囲外にあるセルのことである。このため、光線枠７の枠外にいれば投射光を照射されることはない。
【００３４】
光線枠７、警告表示８の明るさは使用者や観察者が視認できるレベル内でできるだけ小さくする。光線枠７の照射に用いる色は緑色光であることが好ましい。特に、波長５１０ｎｍ〜５５０ｎｍ、また、ＣＩＥ（１９３１  ＣＩＥ  ｃｈｒｏｍａｔｉｃｉｔｙ ｄｉａｇｒａｍ）のｘｙ色度図上で、Ｘ＜０．３、Ｙ≧０．６の範囲にある緑色光が、人間の視感度が高いため、低出力でも認識されやすいので好ましい。また、ディスプレイ装置１００の光源１９として、レーザー等のコヒーレント光を用いる場合、光線枠７および警告表示８の明るさは、国際電気標準会議（Ｉｎｔｅｒｎａｔｉｏｎａｌ  Ｅｌｅｃｔｒｏｔｅｃｈｎｉｃａｌ  Ｃｏｍｍｉｓｓｉｏｎ：ＩＥＣ）での国際規格ＩＥＣ８２５に定められたレーザー安全基準のクラス２以下の光量であることが望ましい。クラス２以下の光量とすることで、投射領域に人が侵入した場合でも、侵入者が感じる眩しさを低減できる。
【００３５】
以上のように、緑色光で案内を表示すれば、映像投射用の緑色光源を用いて光線枠７と警告表示８を表示でき、案内表示用の光源を新たに設ける必要がない。
【００３６】
光線枠７および警告表示８の表示が終了してから、一定時間経過した後に、第２のスイッチ４が押されると、制御回路１８は光源１９に電流が流れるようにする。これにより、第２のスイッチ４が押されると光源１９が点灯し、映像がスクリーンに投射される。このような２段階のスイッチ制御動作によって、光線枠７および警告表示８を含む案内を表示し、案内の表示が終了してから、一定時間経過した後に、光源１９を点灯させることで、映像が投射される前に、使用者や観察者は投射領域を認識することができるので、映像が投射される前に、投射領域への人の侵入を防止できる。さらに、案内の表示が終了してから、一定時間経過後でなければ、第２のスイッチ４が押されても、光源１９に電流が流れないようにすることで、周囲の観察者が投射領域から出るための時間できるので、好ましい。
【００３７】
上述のような２段階のスイッチ制御動作が終了して、起動すると、ディスプレイ装置１００は、図１に示す検知用ビーム２１によって投射領域内の侵入者を検知する。検知用ビーム２１は人間の目には見えない赤外光である。投射領域に侵入者があり、検知用ビーム２１が侵入者によって反射されると、ディスプレイ装置１００内のセンサー２３により反射光が検知され、センサー２３の検知結果に基づいて制御回路１８は、光源１９の出力を弱めたり、遮断したりする。なお、検知用ビーム２１の替わりに、撮像デバイス（例えばＣＣＤやＣＭＯＳカメラ）を用いて、侵入者を検知することでも良い。
【００３８】
以下、案内として光線枠７と警告表示８を含む案内を表示する場合のディスプレイ装置の動作について図４を用いて説明する。図４は、ディスプレイ装置１００の動作フロー図である。
【００３９】
まず、第１のスイッチ３が押されると（ステップＳ１０１）、投射レンズ５から光線枠７と警告表示８を含む案内がスクリーン２に表示される（ステップＳ１０２）。次に、制御回路１８が、一定時間経過したか否かを判定し（ステップＳ１０３）、一定時間経過していれば、第２のスイッチ４の投入によって、光源１９に電流が流れるようにする（ステップＳ１０４）。次に、第２のスイッチ４が押されると、光源１９が点灯し、映像が投射される（ステップＳ１０５）。映像の投射中、ディスプレイ装置１００は、検知用ビーム２１を用いて、投射領域内への人の侵入を検知する（ステップＳ１０６）。ステップＳ１０６にて、投射領域内への人の侵入が検知された場合、制御回路１８は、光源１９の出力を低下させるか、または、光線を遮断する（ステップＳ１０７）。
【００４０】
また、警告表示８は、例えば、図３に示すように、使用者の周囲に対する確認状況をチェックする案内とするようにしても良い。この場合、使用者は、警告表示８を見て周囲の状況を確認し、侵入者がいなければ、例えば、装置に設けられたカーソルキーを用いて「はい」を選択する。「はい」が選択されると、制御回路１８が第２のスイッチ４の投入によって光源１９に電流が流れるようにする。そして、第２のスイッチ４が押されると、光源１９が点灯して映像が投射される。このような動作により、使用者の周囲の状況に対する確認の信頼性がより高まる。
【００４１】
さらに、ディスプレイ装置１００は、第１のスイッチ３が押されると、光線枠７と警告表示８を含む案内を表示するだけでなく、音声による案内を行うようにしても良い。図５は、音声による案内を行う場合のディスプレイ装置の動作フロー図である。
【００４２】
まず、第１のスイッチ３が押されると（ステップＳ２０１）、制御回路１８の制御に基づいて、音声手段（図示せず）が、映像の投射に注意する旨の音声案内を行う（ステップＳ２０２）。次に、音声案内が終了後、制御回路１８が一定時間経過したかを判定し（ステップＳ２０３）、一定時間経過していれば、第２のスイッチ４の投入によって、光源１９に電流が流れるようにする（ステップＳ２０４）。次に、第２のスイッチ４が押されると、光源１９が点灯し、映像が投射される（ステップＳ２０５）。映像の投射中、ディスプレイ装置１００は検知用ビーム２１によって、投射領域内への人の侵入を検知する（ステップＳ２０６）。ステップＳ２０６にて、投射領域内への人の侵入が検知された場合、制御回路１８は、光源１９の出力を低下させるか、または、光線を遮断する（ステップＳ２０７）。
【００４３】
このように、音声によって、映像の投射に注意する旨の案内が出力されることで、使用者や観察者に、投射領域に侵入者がいないかどうかを確認する旨の注意を促すことができる。さらに、音声案内が終了してから、一定時間経過した後でなければ、第２のスイッチ４が押されても光源１９に電流が流れないようにすることで、周囲の観察者が投射領域から出るための時間できるので、好ましい。
【００４４】
次に、ディスプレイ装置１００の第１のスイッチ３と第２のスイッチ４の設置状態について図１と図６を用いて詳細に説明する。図６は、ディスプレイ装置の断面図である。
【００４５】
ディスプレイ装置１００は、筐体表面より凹んだ部分である凹部２２を有し、第１のスイッチ３と第２のスイッチ４は、凹部２２に設置される。このようなスイッチの配置により、ディスプレイ装置１００を持ち運ぶ際や、カバンから取り出す際に、スイッチが不用意に押され、光源１９が点灯してしまう状況を、筐体表面にスイッチが設置される場合に比べてはるかに低減できる。さらに、第２のスイッチ４を覆うシャッター６を設けるようにすれば、誤射や不要な点灯をより確実に防止できる。本実施の形態１のディスプレイ装置１００では、第１のスイッチ３が押されると、シャッター６がスライドして、ディスプレイ装置１００内部に収納され、第２のスイッチ４が露出する。第１のスイッチ３が押されるまでは第２のスイッチ４をシャッター６が覆っているため、シャッター６によって、不用意な第２のスイッチ４の投入が防止される。このように、シャッター６によって第２のスイッチ４を覆うことで、光源１９の不要点灯の確率を大幅に低減できる。
【００４６】
以上のように、本実施の形態１に係るディスプレイ装置１００によれば、筐体上面に第１のスイッチ３と第２のスイッチ４を備え、装置内にディスプレイ装置全体を制御する制御回路１８と、光源１９とを備え、第１のスイッチ３が押されてから、一定時間経過した後に、第２のスイッチ４が押されると、光源１９を点灯するようにしたので、映像の投射前に、投射領域内に人がいるかどうかを確認する時間を使用者や観察者に与えて、投射領域への人の侵入を映像投射前に防いで、投射光が人に投射されるのを防ぐことができる。その結果、投射光によって、人に不快な思いをさせるのを防止できる。
【００４７】
また、本実施の形態１のディスプレイ装置１００によれば、第１のスイッチ３と第２のスイッチ４を凹部２２に設置し、第２のスイッチ４を覆うシャッター６を設けたので、スイッチが不用意に押されるのを防いで、人への投射光の誤射を防ぐことができる。さらに、ディスプレイ装置がバッテリー駆動できる場合には、バッテリーが不要に消費されるのを防ぐことができる。
【００４８】
なお、本実施の形態１のディスプレイ装置１００は、２個のスイッチを有しているが、それ以上でもよいのは自明である。
【００４９】
また、本実施の形態１のディスプレイ装置は、１個のスイッチを有し、スイッチが１回押されてから、一定時間経過した後、スイッチが再度押されると、光源１９を点灯させることでも良い。
【００５０】
また、本実施の形態１に係るディスプレイ装置では、第２のスイッチ４を覆うシャッター６を設けているが、第１のスイッチ３と第２のスイッチ４の両方を覆うシャッターを設けることでも良い。また、スイッチの数が２個以上の場合は、シャッターの数をスイッチ数に応じて最適化すれば良い。
【００５１】
（実施の形態２）
図７は、本実施の形態２に係るディスプレイ装置の一構成例を示す図である。
図７において、本実施の形態２によるディスプレイ装置２００は、赤（Ｒ）、緑（Ｇ）、青（Ｂ）の光源９〜１１と、レンズ１２と、光量均一化デバイス１３と、２次元空間変調素子１４と、合波プリズム１５と、投射レンズ１６とを備え、さらに、投射レンズ１６の付近に、フード１７を備えたものである。
【００５２】
以下、フード１７について詳細に説明する。
投射レンズ１６から投射される光の光束幅ｗは、ディスプレイ装置２００から出射後一旦狭くなり、その後スクリーンに近づくにつれて広くなる。光束幅ｗが広い位置、つまりスクリーンに近い位置に侵入者が存在する場合には、光束の密度が低いため、侵入者はあまり眩しさを感じないが、光束幅ｗが狭い位置に侵入するほど侵入者は眩しさを感じ、不快感が増す。侵入者が最も眩しさを感じるのは、光束幅ｗが最も狭い位置、すなわち光束密度が最大となる位置である。この位置で侵入者の眼に光が入ったとき、侵入者は最も不快感を感じる。よって、この位置で、侵入者の眼に光が入らないように、本実施の形態２のディスプレイ装置２００は、フード１７を備える。フード１７の長さｂは、ディスプレイ装置２００の筐体から光束幅ｗが最も狭くなる位置までの距離をａとした場合、ｂ＞ａである。
【００５３】
また、本ディスプレイ装置２００は、その筐体上面に、第１のスイッチ３と、光源９〜１１の点灯スイッチである第２のスイッチ４を備え、装置内に、ディスプレイ装置全体を制御する制御回路１８を備える。第１のスイッチ３が押されると、フード１７が設置される。制御回路１８は、フード１７が所定位置に設置されたことを確認すると、第２のスイッチ４の投入によって、光源９〜１１に電流が流れるようにする。
【００５４】
また、本ディスプレイ装置２００は、赤外光である検知用ビームによって投射領域内の侵入者を検知する。投射領域内に侵入者がいて、検知用ビームが侵入者によって反射されると、ディスプレイ装置２００内のセンサー２３によって、反射光が検知され、センサー２３の検知結果に基づいて制御回路１８は、光源９〜１１の出力を弱めたり、遮断したりする。
【００５５】
以上のように構成される本実施の形態２のディスプレイ装置２００の動作について説明する。
まず、第１のスイッチ３が押されると、フード１７を筐体表面の投射レンズ１６付近に設置する。例えば、第１のスイッチ３が押されると、ディスプレイ装置２００内に内蔵されたフード１７を筐体表面の投射レンズ１６付近から、突出させる。制御回路１８は、フード１７が所定位置に設置されたことを確認すると、第２のスイッチ４の投入によって、光源１９に電流が流れるようにする。
【００５６】
次に、第２のスイッチ４が押されると、光源９〜１１が点灯する。光源９〜１１から出射されたビームは、レンズ１２、光量均一化デバイス１３、２次元空間変調素子１４を透過した後、合波プリズム１５によって合波され、投射レンズ１６へ導かれ、投射レンズ１６から投射光がスクリーン２に投射される。
【００５７】
映像の投射中、ディスプレイ装置２００は、検知用ビーム２１を用いて、投射領域内への人の侵入を検知する。投射領域内への人の侵入が検知された場合、制御回路１８は、光源１９の出力を低下させるか、または、光線を遮断する。
【００５８】
以上のように、本実施の形態２のディスプレイ装置２００によれば、第１のスイッチ３が押されると、筐体表面の投射レンズ１６付近に、ディスプレイ装置２００の筐体表面から投射光の光束幅ｗが最も狭くなる位置までの距離より長いフード１７を設置し、制御回路１８によって、フード１７が所定位置の設置が確認された後、第２のスイッチ４が押されると、光源９〜１１を点灯するようにしたので、映像の投射中に、投射領域へ人が侵入しても、フード１７によって、光束幅の最も狭い光が侵入者の眼に入るのを防いで、侵入者が眩しさを感じて不快な思いをすることを防ぐことができる。
【００５９】
なお、本実施の形態２に係るディスプレイ装置２００は、投射レンズ１６の付近の筐体表面に、フード１７を着脱自在に装着するフード装着部を有し、制御回路１８が、フード１７をフード装着部に装着したことを確認した後、第２のスイッチ４の投入によって、光源９〜１１に電流が流れるようにしても良い。
【００６０】
また、本実施の形態２に係るディスプレイ装置２００は、第１のスイッチ３が押されると、光線枠７と警告表示８を含む案内をスクリーン２に表示、または、映像の投射に注意する旨の音声案内を行うようにしても良い。
【産業上の利用可能性】
【００６１】
本発明にかかるディスプレイ装置は、スクリーンに映像を表示する装置として有用である。
【図面の簡単な説明】
【００６２】
【図１】図１は、本実施の形態１に係るディスプレイ装置の上面図である。
【図２】図２は、実施の形態１に係るディスプレイ装置が行う警告表示の一例を示す図である。
【図３】図３は、本実施の形態１に係るディスプレイ装置が行う警告表示の一例を示す図である。
【図４】図４は、本実施の形態１に係るディスプレイ装置の動作を説明するためのフロー図である。
【図５】図５は、本実施の形態１に係るディスプレイ装置の動作を説明するためのフロー図である。
【図６】図６は、本実施の形態１に係るディスプレイ装置の断面図である。
【図７】図７は、本実施の形態２に係るディスプレイ装置の一構成例を示す図である。
【図８】図８は、従来のディスプレイ装置の概略図である。
【図９】図９は、従来のレーザディスプレイに接続可能な機器を示す図である。
【符号の説明】
【００６３】
２    スクリーン
３、４    スイッチ
５    投射レンズ
６    シャッター
７    光線枠
８    警告表示
９    赤色光源
１０    緑色光源
１１    青色光源
１２    レンズ
１３    光量均一化デバイス
１４    ２次元空間変調デバイス
１５    合波プリズム
１６    投射レンズ
１７    フード
１８    制御回路
１９    光源
２０    映像の投射領域
２１    検知用ビーム
２２    凹部
２３    センサー
５０    光源部
５１    ランプ
５４ａ〜５４ｇ    光学フィルター
５５    液晶パネル
５６    プリズム
５７    レンズ
５８    スクリーン
１００、２００    ディスプレイ装置
２０１    パーソナルコンピュータ
２０２    ビデオゲーム機
２０３    光ディスクプレーヤ
２０４    光ディスクレコーダ
２０５    カメラ一体型ＶＴＲ
２０６    据え置き型ＶＴＲ
２０７    ＢＳ／ＣＳチューナ
２０８    ＴＶ
２０９    ハードディスクレコーダ
２１０    インターネット放送用ＳＴＢ
２１１    ＣＡＴＶ用ＳＴＢ
２１２    地上波デジタル放送用ＳＴＢ
２１３    ＢＳ  ＨＤＴＶ放送用ＳＴＢ
【図１】
0004937118.tif 000002
【図２】
0004937118.tif 000003
【図３】
0004937118.tif 000004
【図４】
0004937118.tif 000005
【図５】
0004937118.tif 000006
【図６】
0004937118.tif 000007
【図７】
0004937118.tif 000008
【図８】
0004937118.tif 000009
【図９】
0004937118.tif 000010